【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】
数値制御による各駆動手段によりＸ，Ｙ，Ｚ方向への任意の移動とθ方向への任意の回転を行なう電子部品吸着部材によって、電子部品を吸着保持して供給部から取り出し、装着部の位置決めされた基板上の所定位置に装着するまでの途中において、発光ダイオードからなる照明手段により停止状態または移動状態にある電子部品を照明して、この照明時の電子部品を撮像手段により撮像して画像情報を得る電子部品撮像方法にあって、
前記照明手段として構成される発光ダイオードに対して、該発光ダイオードを連続点灯した場合の定格電流値以上の電流を瞬間的に供給して、この発光ダイオードを連続点灯した場合の光量より多い光量を得ることを特徴とする電子部品撮像方法。
【請求項２】
数値制御による各駆動手段によりＸ，Ｙ，Ｚ方向への任意の移動とθ方向への任意の回転を行なう電子部品吸着部材によって、電子部品を吸着保持して供給部から取り出し、装着部の位置決めされた基板上の所定位置に装着するまでの途中において、発光ダイオードからなる照明手段により停止状態または移動状態にある電子部品を照明して、この照明時の電子部品を撮像手段により撮像して画像情報を得る電子部品撮像方法にあって、
前記照明手段は、青色発光ダイオードのみによる構成、若しくは青色発光ダイオードを含む複数色の発光ダイオードによる構成のストロボ照明であることを特徴とする電子部品撮像方法。
【請求項３】
数値制御による各駆動手段によりＸ，Ｙ，Ｚ方向への任意の移動とθ方向への任意の回転を行なう電子部品吸着部材によって、電子部品を吸着保持して供給部から取り出し、装着部の位置決めされた基板上の所定位置に装着するまでの途中において、発光ダイオードからなる照明手段により停止状態または移動状態にある電子部品を照明して、この照明時の電子部品を撮像手段により撮像して画像情報を得る電子部品撮像方法にあって、
前記照明手段は、青色発光ダイオードを含む複数色の発光ダイオードによる構成のストロボ照明であり、青色発光ダイオードとその他の色の発光ダイオードとは、それぞれ個別に閃光させる場合と、同時に閃光させる場合とを選択的に行なうことを特徴とする電子部品撮像方法。
【請求項４】
数値制御による各駆動手段によりＸ，Ｙ，Ｚ方向への任意の移動とθ方向への任意の回転を行なう電子部品吸着部材によって、電子部品を吸着保持して供給部から取り出し、装着部の位置決めされた基板上の所定位置に装着するまでの途中において、発光ダイオードからなる照明手段により停止状態または移動状態にある電子部品を照明して、この照明時の電子部品を撮像手段により撮像して画像情報を得る電子部品撮像方法にあって、
前記照明手段は、複数色の発光ダイオードによるストロボ照明であり、複数色の発光ダイオードは、それぞれ個別に閃光させる場合と、同時に閃光させる場合とを前記電子部品の種類に応じて選択的に行なうことを特徴とする電子部品撮像方法。
【請求項５】
数値制御による各駆動手段によりＸ，Ｙ，Ｚ方向への任意の移動とθ方向への任意の回転を行なう電子部品吸着部材によって、電子部品を吸着保持して供給部から取り出し、装着部の位置決めされた基板上の所定位置に装着するまでの途中において、発光ダイオードからなる照明手段により停止状態または移動状態にある電子部品を照明して、この照明時の電子部品を撮像手段により撮像して画像情報を得る電子部品撮像方法にあって、
前記照明手段における青色発光ダイオードは、電子部品吸着部材に保持された電子部品の側面方向から光を照射可能な位置に配設することを特徴とする電子部品撮像方法。
【請求項６】
前後方向に移動する進退体と、左右方向に移動する可動体と、電子部品の供給部と装着部とを移動する上下動可能な吸着ノズルと、電子部品を照明する発光ダイオードからなる照明手段と、照明時の電子部品を撮像する撮像手段とを備えた電子部品装着装置であって、
前記照明手段は、その発光ダイオードに対して、該発光ダイオードを連続点灯した場合の定格電流値以上の電流を瞬間的に供給して、この発光ダイオードを連続点灯した場合の光量より多い光量を得ることを特徴とする電子部品装着装置。
【請求項７】
前後方向に移動する進退体と、左右方向に移動する可動体と、電子部品の供給部と装着部とを移動する上下動可能な吸着ノズルと、電子部品を照明する発光ダイオードからなる照明手段と、照明時の電子部品を撮像する撮像手段とを備えた電子部品装着装置であって、
前記照明手段は、青色発光ダイオードのみによる構成、若しくは青色発光ダイオードを含む複数色の発光ダイオードによる構成のストロボ照明であることを特徴とする電子部品装着装置。
【請求項８】
前後方向に移動する進退体と、左右方向に移動する可動体と、電子部品の供給部と装着部とを移動する上下動可能な吸着ノズルと、電子部品を照明する発光ダイオードからなる照明手段と、照明時の電子部品を撮像する撮像手段とを備えた電子部品装着装置であって、
前記照明手段は、青色発光ダイオードを含む複数色の発光ダイオードによる構成のストロボ照明であり、青色発光ダイオードとその他の色の発光ダイオードとは、それぞれ個別に閃光させる場合と、同時に閃光させる場合とを選択的に行なうことを特徴とする電子部品装着装置。
【請求項９】
前後方向に移動する進退体と、左右方向に移動する可動体と、電子部品の供給部と装着部とを移動する上下動可能な吸着ノズルと、電子部品を照明する発光ダイオードからなる照明手段と、照明時の電子部品を撮像する撮像手段とを備えた電子部品装着装置であって、
前記照明手段は、複数色の発光ダイオードによるストロボ照明であり、複数色の発光ダイオードは、それぞれ個別に閃光させる場合と、同時に閃光させる場合とを前記電子部品の種類に応じて選択的に行なうことを特徴とする電子部品装着装置。
【請求項１０】
前後方向に移動する進退体と、左右方向に移動する可動体と、電子部品の供給部と装着部とを移動する上下動可能な吸着ノズルと、電子部品を照明する発光ダイオードからなる照明手段と、照明時の電子部品を撮像する撮像手段とを備えた電子部品装着装置であって、
前記照明手段における青色発光ダイオードは、電子部品吸着部材に保持された電子部品の側面方向から光を照射可能な位置に配設することを特徴とする電子部品装着装置。
【手続補正２】
【補正対象書類名】明細書
【補正対象項目名】００１３
【補正方法】変更
【補正の内容】
【００１３】
【課題を解決するための手段】
前記した目的を達成するための本発明の手段は、数値制御による各駆動手段によりＸ，Ｙ，Ｚ方向への任意の移動とθ方向への任意の回転を行なう電子部品吸着部材によって、電子部品を吸着保持して供給部から取り出し、装着部の位置決めされた基板上の所定位置に装着するまでの途中において、発光ダイオードからなる照明手段により停止状態または移動状態にある電子部品を照明して、この照明時の電子部品を撮像手段により撮像して画像情報を得る電子部品撮像方法にあって、前記照明手段として構成される発光ダイオードに対して、該発光ダイオードを連続点灯した場合の定格電流値以上の電流を瞬間的に供給して、この発光ダイオードを連続点灯した場合の光量より多い光量を得る電子部品撮像方法にある。
【手続補正３】
【補正対象書類名】明細書
【補正対象項目名】００１４
【補正方法】変更
【補正の内容】
【００１４】
また、照明手段は、青色発光ダイオードのみによる構成、若しくは青色発光ダイオードを含む複数色の発光ダイオードによる構成のストロボ照明であり、また、青色発光ダイオードを含む複数色の発光ダイオードによる構成の場合、青色発光ダイオードとその他の色の発光ダイオードとは、それぞれ個別に閃光させる場合と、同時に閃光させる場合とを選択的に行なう。
【手続補正４】
【補正対象書類名】明細書
【補正対象項目名】００１５
【補正方法】変更
【補正の内容】
【００１５】
また、照明手段は、複数色の発光ダイオードによるストロボ照明であり、複数色の発光ダイオードは、それぞれ個別に閃光させる場合と、同時に閃光させる場合とを前記電子部品の種類に応じて選択的に行なう。
【手続補正５】
【補正対象書類名】明細書
【補正対象項目名】００１６
【補正方法】変更
【補正の内容】
【００１６】
また、照明手段における青色発光ダイオードは、電子部品吸着部材に保持された電子部品の側面方向から光を照射可能な位置に配設する。
【手続補正６】
【補正対象書類名】明細書
【補正対象項目名】００１７
【補正方法】変更
【補正の内容】
【００１７】
そして、前後方向に移動する進退体と、左右方向に移動する可動体と、電子部品の供給部と装着部とを移動する上下動可能な吸着ノズルと、電子部品を照明する発光ダイオードからなる照明手段と、照明時の電子部品を撮像する撮像手段とを備えた電子部品装着装置であって、前記照明手段は、その発光ダイオードに対して、該発光ダイオードを連続点灯した場合の定格電流値以上の電流を瞬間的に供給して、この発光ダイオードを連続点灯した場合の光量より多い光量を得る電子部品装着装置の構成にある。
【手続補正７】
【補正対象書類名】明細書
【補正対象項目名】００１８
【補正方法】変更
【補正の内容】
【００１８】
また、照明手段は、青色発光ダイオードのみによる構成、若しくは青色発光ダイオードを含む複数色の発光ダイオードによる構成のストロボ照明であり、また、青色発光ダイオードを含む複数色の発光ダイオードによる構成の場合、青色発光ダイオードとその他の色の発光ダイオードとは、それぞれ個別に閃光させる場合と、同時に閃光させる場合とを選択的に行なう。
【手続補正８】
【補正対象書類名】明細書
【補正対象項目名】００１９
【補正方法】変更
【補正の内容】
【００１９】
また、照明手段は、複数色の発光ダイオードによるストロボ照明であり、複数色の発光ダイオードは、それぞれ個別に閃光させる場合と、同時に閃光させる場合とを前記電子部品の種類に応じて選択的に行なう。
また、照明手段における青色発光ダイオードは、電子部品吸着部材に保持された電子部品の側面方向から光を照射可能な位置に配設する。